(57)【要約】【課題】  バッグとしての外観品質を向上させることができると共に、内部に商品を収納して搬送する必要がない場合に容易に折りたたんで持ち運ぶことができ、バッグとしての使いやすさを向上させた保温可能なバッグを提供する。【解決手段】  外層部としての表皮材と、上記表皮材の内側面側に設けられた中間層部としての合成樹脂材と、上記合成樹脂材の内側面部に貼付され、内部に商品が収納された場合に上記商品に接触する内層部としてのアルミ蒸着部とを有し、折畳み可能に形成されたバッグ本体部を備えたことを特徴とする保温機能を有する。【選択図】  図４
0003154520.tif 000002
【実用新案登録請求の範囲】
【請求項１】
外層部としての表皮材と、上記表皮材の内側面側に設けられた中間層部としての合成樹脂材と、上記合成樹脂材の内側面部の全面に貼付され、内部に商品が収納された場合に上記商品に接触する内層部としてのアルミ蒸着部とを有し、折畳み可能に形成されたバッグ本体部を備えたことを特徴とする保温機能を有するバッグ。
【請求項２】
上記表皮材は帆布製であって、上記中間層部を形成する合成樹脂材は発泡ポリエチレンであると共に肉薄に形成されており、上記アルミ蒸着部はフィルム状に形成されていることを特徴とする請求項１記載の保温機能を有するバッグ。
【請求項３】
上記バッグ本体部の開口部には取手部が設けられ、上記バッグ本体部は側面方形状に形成されていると共にマチ部を有することを特徴とする請求項１記載の保温機能を有するバッグ。
【請求項４】
上記開口部には、開口部を開閉可能に閉止しうる延設被覆部が設けられていることを特徴とする請求項１記載の保温機能を有するバッグ。
【請求項５】
上記表皮材の厚さ寸法は０．５ｍｍであって、上記合成樹脂材の厚さ寸法は１ｍｍであって、上記アルミ蒸着部の厚さ寸法は１２μであることを特徴とする請求項２記載の保温機能を有するバッグ。
【請求項６】
上記フィルム状に形成されたアルミ蒸着部は、多数の縫合線部により上記合成樹脂材に固定されていることを特徴とする請求項１記載の保温機能を有するバッグ。
【考案の詳細な説明】
【技術分野】
【０００１】
本考案は、保温機能を有するバッグに係り、特に、買い物等に使用される、いわゆるエコバッグの改良に関する。
【背景技術】
【０００２】
一般に、この種の、買い物等に使用されるいわゆるエコバッグは、概ね、買い物の用途に専用のものが多く、保冷又は保温が必要な食品を購入したような場合には有効に食品を保冷又は保温状態で持ち帰ることができない、という不具合があった。このような不具合を解消するため、従来より、保温機能付きのバッグが提案されている（実用新案登録文献１及び実用新案登録文献２）。
しかしながら、このような従来の保温機能付きのバッグにあっては、金属蒸着層が表皮材の表面に設けられており、バッグとしての外観品質が良好ではないという不具合が存していた。
また、上記金属蒸着層が表面に設けられており、金属蒸着層の硬度は小さく手触りが柔らかいことから、使用の際に硬いものに擦れたような場合には破れやすく、エコバッグといいながら繰り返し長年使用することは不可能である、という不具合が存していた。
【０００３】
また、表皮材と金属蒸着層との間に合成樹脂材からなる断熱層が設けられており、バッグ本体部の厚さ寸法が大きいことから、手軽にバッグ本体部を折りたたむことができず、商品を収納する必要のない場合に、持ち運びが不便である、という不具合も存していた。
【特許文献１】実開昭６１―９７９１５号公報
【特許文献２】特開２００２―１７３１８１号公報
【考案の開示】
【考案が解決しようとする課題】
【０００４】
そこで、本願考案の課題は、バッグとしての外観品質を向上させることができると共に、内部に商品を収納して搬送する必要がない場合に容易に折りたたんで持ち運ぶことができ、バッグとしての使いやすさを向上させた保温可能なバッグを提供することにある。
【課題を解決するための手段】
【０００５】
このような課題解決のため、請求項１記載の考案にあっては、外層部としての表皮材と、上記表皮材の内側面側に設けられた中間層部としての合成樹脂材と、上記合成樹脂材の内側面部に貼付され、内部に商品が収納された場合に上記商品に接触する内層部としてのアルミ蒸着部とを有し、折畳み可能に形成されたバッグ本体部を備えたことを特徴とする保温機能を有することを特徴とする。
【０００６】
請求項２記載の考案にあっては、上記表皮材は帆布製であって、上記中間層部を形成する合成樹脂材は発泡ポリエチレンであると共に肉薄に形成されており、上記アルミ蒸着部はフィルム状に形成されていることを特徴とする。
【０００７】
請求項３記載の考案にあっては、上記バッグ本体部の開口部には取手部が設けられ、上記バッグ本体部は側面方形状に形成されていると共にマチ部を有することを特徴とする。
請求項４記載の考案にあっては、上記開口部には、開口部を開閉可能に閉止しうる巾着部が設けられていることを特徴とする。
【０００８】
請求項５記載の考案にあっては、上記表皮材の厚さ寸法は０．５ｍｍであって、上記合成樹脂材の厚さ寸法は１ｍｍであって、上記アルミ蒸着部の厚さ寸法は１２μであることを特徴とする。
請求項６記載の考案にあっては、上記フィルム状に形成されたアルミ蒸着部は、多数の縫合線部により上記合成樹脂材に固定されていることを特徴とする。
【考案の効果】
【０００９】
請求項１〜６記載の考案にあっては、外層部としての表皮材と、上記表皮材の内側面側に設けられた中間層部としての合成樹脂材と、上記合成樹脂材の内側面部に貼付され、内部に商品が収納された場合に上記商品に接触する内層部としてのアルミ蒸着部とを有し、折畳み可能に形成されたバッグ本体部を備えていることから、アルミ蒸着部はバッグ本体の内側に設けられ、外側部には表れていないことから、保温、保冷機能を有しつつ、一般のバッグと同様の表皮材が貼付されており、バッグとしての外観品質を低下させることがない。
【００１０】
請求項２記載の考案にあっては、上記表皮材は帆布製であって、上記中間層部を形成する合成樹脂材は発泡ポリエチレンであると共に肉薄に形成されており、上記アルミ蒸着部はフィルム状に形成されていることから、表皮材の手触りが良好であると共に、中間層を構成する発泡ポリエチレンは肉薄に形成されていることから、従来の保温機能を有するバッグとは異なり、バッグ本体部を折畳みやすい。
【００１１】
請求項４記載の考案にあっては、上記開口部には、開口部を開閉可能に閉止しうる延設被覆部が設けられていることから、上記延設被覆部によりバッグ本体部の大きさよりも大きなもの、または多量の商品等を収納した場合であっても、上記延設被覆部を使用して被覆して持ち運ぶことができる。
【００１２】
また、請求項５記載の考案にあっては、上記表皮材の厚さ寸法は０．５ｍｍであって、上記合成樹脂材の厚さ寸法は１ｍｍであって、上記アルミ蒸着部の厚さ寸法は１２μに形成されていることから、特に、合成樹脂材の厚さ寸法が薄く形成されていることから、従来のエコバッグに比して折り畳みやすい。
【００１３】
請求項６記載の考案にあっては、上記フィルム状に形成されたアルミ蒸着部は、多数の縫合線部により上記合成樹脂材に固定されている。
従って、従来は、金属蒸着層は硬度は小さく手触りが柔らかいことから、使用の際に硬いものに擦れたような場合には破れやすく、エコバッグといいながら繰り返し長年使用することは不可能である、という不具合が存していたが、本請求項６記載の考案にあっては、上記多数の縫合線部が設けられていることから、合成樹脂材に強固に固定されており、収納物と擦れ合った場合であっても、簡単には破れることがなく、長年の繰り返しの使用に耐え、本来のエコバッグの趣旨に従った使用が可能となる。
加えて、上記多数の縫合線部によりアルミ蒸着部が折れやすくなることから折畳みやすく、商品等の収納して持ち運ぶ必要のない場合には、従来の同様のアルミ蒸着層を有するエコバッグとは異なり、適宜、容易に折り畳んで持ち運ぶことができる、という効果を奏する。
【考案を実施するための最良の形態】
【００１４】
以下、添付図面に示す実施の形態に基づき、本考案を詳細に説明する。
図１に示すように、本実施の形態に係る保温機能を有するバッグ１０は、いわゆる「エコバッグ」として形成され、側面方形状に形成されると共に所定の厚さ寸法を有するバッグ本体部２０を有している。上記バッグ本体部２０の上端部には開口部２１が設けられており、上記開口部２１には一対の取手部２２が設けられており、全体として、いわゆるトートバッグとして形成されている。
【００１５】
図３及び図４に示すように、上記開口部２１には、開口部２１を開閉可能に閉止しうる延設被覆部２３が設けられている。上記延設被覆部２３は、いわゆる巾着部として形成されており、延設被覆部２３の開口部２９を構成する上端部には、紐２４が開口縁部２７の全域に設けられた細長い空隙部２８内に配置されており、紐２４を引き出すことにより開口部２９を閉止することができるように構成されている。
【００１６】
図２に示すように、上記バッグ本体部２０は、断面構造としては、外層部Ａとしての表皮材１１と、上記表皮材１１の内側面側に設けられた中間層部Ｂとしての合成樹脂材１２と、上記合成樹脂材１２の内側面部に貼付され、内部に商品が収納された場合に上記商品に接触する内層部Ｃとしてのアルミ蒸着部１３とを有し、折畳み可能に形成されている。
【００１７】
本実施の形態にあっては、上記表皮材１１は帆布製であり、上記中間層部Ｂを形成する合成樹脂材１２は発泡ポリエチレンであって、従来の保温機能を有するバッグに使用されている場合よりも肉薄に形成されている。また、上記アルミ蒸着部１３はフィルム状に形成されている。
【００１８】
上記表皮材１１の厚さ寸法は０．５ｍｍであり、上記合成樹脂材１２の厚さ寸法は１ｍｍであって、上記アルミ蒸着部１３の厚さ寸法は１２μに形成されている。
また、図４に示すように、上記フィルム状に形成されたアルミ蒸着部１３は、多数の縫合線部１５により上記合成樹脂材１２に固定されている。上記縫合線部１５は、１０ｍｍ×１０ｍｍの間に、縦横各１０本ずつ設けられている。
また、バッグ本体部２０の一方のマチ部２５ａの幅方向端部には、折り畳み時に使用するための固定用フック片３０が固定されており、他方のマチ部２５ｂには上記固定用フック片３０が係合するスナップ３１が取り付けられている。
【００１９】
従って、バッグ本体部２０を折り畳んだ際には、上記固定用フック片３０をスナップ３１に係合させてバッグ本体部２０を固定した状態で持ち運ぶことができるように構成されている。また、本実施の形態に係る保温機能を有するバッグ１０にあっては、バッグ本体部２０内に、保温が必要な商品を購入した場合には、内部に収納して持ち運ぶことができる。
【００２０】
表皮材１１は帆布材により形成されていることから、従来のエコバッグとは異なり外観品質が良好であり、また良好な手触りである。また、中間層部Ｂとしての発泡ポリエチレンからなる合成樹脂材１２は従来とは異なり上記のように肉薄に形成され、合成樹脂材１２の内側面側にはフィルム状のアルミ蒸着部１３が形成されており、さらに、上記アルミ蒸着層１３は上記のように多数の縫合線部１５により合成樹脂材１２に固定されていることから、硬度が低く、手触りの柔らかなアルミ蒸着部１３がしっかりと合成樹脂材１２に固定されていることから、収納物と擦れたような場合であっても、アルミ蒸着層１３が剥がれてしまうことはない。
加えて、上記縫合線部１５によりアルミ蒸着部１３が折り曲げやすくなっており、バッグ本体部２０を容易に折畳むことができる。
【００２１】
その結果、従来の保温機能を有するバッグにあっては、アルミ蒸着部が固定されている合成樹脂部の厚さ寸法が大きいことから、バッグ本体部を容易に折畳むことは不可能であったが、本実施の形態に係る保温機能を有するバッグ１０にあっては、商品等を収納して搬送する必要がない場合には、折畳んで持ち運ぶことができる。
本実施の形態にあっては、表皮材１１として帆布を使用した場合を例に説明したが、上記実施の形態に限定されず、表皮材の素材は適宜、選択することができる。
【産業上の利用可能性】
【００２２】
本考案は、広く、いわゆるエコバッグに適用することができる。
【図面の簡単な説明】
【００２３】
【図１】本考案に係る保温機能付きバッグの一実施の形態を示す斜視図である。
【図２】本考案に係る保温機能付きバッグの一実施の形態を示す、図１のＸ―Ｘ線断面図である。
【図３】本考案に係る保温機能付きバッグの一実施の形態を示す斜視図であり、延設被覆部を引き出した状態を示す斜視図である。
【図４】本考案に係る保温機能付きバッグの一実施の形態を示す斜視図であり、延設被覆部を引き出し、紐により延設費腹部の開口部を閉止した状態を示す斜視図である。
【図５】本考案に係る保温機能付きバッグの一実施の形態を示し、開口部を介して表皮材の内側面部に形成されたアルミ蒸着部を示す斜視図である。
【符号の説明】
【００２４】
１０  バッグ
１１  表皮材
１２  合成樹脂材  
１３  アルミ蒸着部
１５  縫合線部
２０  バッグ本体部
２１  開口部
２２  取手部
２３  延設被覆部
２４  紐  
２５  マチ部
２７  開口縁部
２８  空隙部
２９  開口部
３０  フック片
３１  スナップ
Ａ    外層部
Ｂ    中間層部
Ｃ    内層部
【図１】
0003154520.tif 000003
【図２】
0003154520.tif 000004
【図３】
0003154520.tif 000005
【図４】
0003154520.tif 000006
【図５】
0003154520.tif 000007
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
外層部としての表皮材と、上記表皮材の内側面側に設けられた中間層部としての合成樹脂材と、上記合成樹脂材の内側面部の全面に貼付され、内部に商品が収納された場合に上記商品に接触する内層部としてのアルミ蒸着部とを有し、折畳み可能に形成されたバッグ本体部を備えたことを特徴とする保温機能を有するバッグ。
【請求項２】
上記表皮材は帆布製であって、上記中間層部を形成する合成樹脂材は発泡ポリエチレンであると共に肉薄に形成されており、上記アルミ蒸着部はフィルム状に形成されていることを特徴とする請求項１記載の保温機能を有するバッグ。
【請求項３】
上記バッグ本体部の開口部には取手部が設けられ、上記バッグ本体部は側面方形状に形成されていると共にマチ部を有することを特徴とする請求項１記載の保温機能を有するバッグ。
【請求項４】
上記開口部には、開口部を開閉可能に閉止しうる延設被覆部が設けられていることを特徴とする請求項３記載の保温機能を有するバッグ。
【請求項５】
上記表皮材の厚さ寸法は０．５ｍｍであって、上記合成樹脂材の厚さ寸法は１ｍｍであって、上記アルミ蒸着部の厚さ寸法は１２μであることを特徴とする請求項２記載の保温機能を有するバッグ。
【請求項６】
上記フィルム状に形成されたアルミ蒸着部は、多数の縫合線部により上記合成樹脂材に固定されていることを特徴とする請求項２記載の保温機能を有するバッグ。